(57)【要約】【課題】互いに螺合させることにより内部を封止する二つの部材の相互の取り外しを容易にし得る組合せ構造等の提供。【解決手段】組合せ構造は、第一部材が備える、第一ねじ山と前記第一ねじ山に対応するねじ溝とを備える前記第一ねじ部と、第二部材が備える、第二ねじ山と前記第二ねじ山に対応するねじ溝とを備える第二ねじ部との、互いの螺合による締め付けを行うことにより、封止部材を、前記第二部材が備える第二面の前記第二部材が備える中空部の周囲の部分と、前記第一部材が備える、前記周囲の部分に対向する第一面とで、前記周囲の部分と前記封止部材及び前記第一面と前記封止部材とのいずれの間にも隙間が生じないように押さえつける、前記第一部材と前記第二部材とを組合せ、前記螺合の状態において、前記第二面と前記中空部とを接続する空間が両ねじ部の間に形成される。【選択図】      図１
2019044930.tif 000002
【特許請求の範囲】
【請求項１】
第一部材が備える、第一ねじ山と前記第一ねじ山に対応するねじ溝とを備える前記第一ねじ部と、第二部材が備える、第二ねじ山と前記第二ねじ山に対応するねじ溝とを備える第二ねじ部との、互いの螺合による締め付けを行うことにより、封止部材を、前記第二部材が備える第二面の前記第二部材が備える中空部の周囲の部分と、前記第一部材が備える、前記周囲の部分に対向する第一面とで、前記周囲の部分と前記封止部材及び前記第一面と前記封止部材とのいずれの間にも隙間が生じないように押さえつける、前記第一部材と前記第二部材とを組み合わせた組合せ構造であって、
前記螺合の状態において、前記第二面と前記中空部とを接続する空間が前記第一ねじ部と前記第二ねじ部との間に形成される、
組合せ構造。
【請求項２】
前記空間が、前記第一ねじ山が存在しないか、前記第一ねじ山より低い第三のねじ山が存在するか、のいずれかである、前記中空部から前記第二面につながる部分である、第一溝部により形成される、請求項１に記載された組合せ構造。
【請求項３】
前記第一溝部を複数備える、請求項２に記載された組合せ構造。
【請求項４】
前記空間が、前記第二ねじ山が存在しないか、前記第二ねじ山より低い第四のねじ山が存在するか、のいずれかである、前記中空部から前記第二面につながる部分である、第二溝部により形成される、請求項１乃至請求項３のうちのいずれか一に記載された組合せ構造。
【請求項５】
前記第二溝部を複数備える、請求項４に記載された組合せ構造。
【請求項６】
前記空間が、前記第一ねじ山が存在しないか、前記第一ねじ山より低い第三のねじ山が存在するか、のいずれかである、前記中空部から前記第二面につながる部分である、第一溝部と、前記第二ねじ山が存在しないか、前記第二ねじ山より低い第四のねじ山が存在するか、のいずれかである、前記中空部から前記第二面につながる部分である、第二溝部とにより形成され、前記第一溝部の少なくとも一つが前記第二溝部の少なくとも一つと対向する場合がある、請求項１に記載された組合せ構造。
【請求項７】
前記第一ねじ部がオスねじ状であり、前記第二ねじ部がメスねじ状である、請求項１乃至請求項６のうちのいずれか一に記載された螺合部材。
【請求項８】
前記第一ねじ部がメスねじ状であり、前記第二ねじ部がオスねじ状である、請求項１乃至請求項６のうちのいずれか一に記載された螺合部材。
【請求項９】
第二部材が備える、第二ねじ山と前記第二ねじ山に対応するねじ溝とを備える第二ねじ部との螺合が可能な第一ねじ山と前記第一ねじ山に対応するねじ溝とを備える第一ねじ部と、
前記第二部材が備える第二面の前記第二部材が備える中空部の周囲の部分との間で、前記螺合により、封止部材を締め付けることが可能な第一面とを備え、
前記第一ねじ部が、前記第一ねじ山が存在しないか、前記第一ねじ山より低い第三のねじ山が存在するか、のいずれかである、第一溝部を有し、
前記螺合により、前記第一溝部が、前記中空部から前記第二面につながる空間を形成する、
螺合部材。
【請求項１０】
中空部と、
第一部材が備える、第一ねじ山と前記第一ねじ山に対応するねじ溝とを備える前記第一ねじ部との螺合が可能な、第二ねじ山と前記第二ねじ山に対応するねじ溝とを備える第二ねじ部と、
前記第一部材を螺合させながら締め付けることにより、封止部材を、前記第一部材が備える第一面との間で押さえつけることが可能な、前記第一面と対向可能な前記中空部の周囲の面と、
を備え、
前記第二ねじ部が、前記第二ねじ山が存在しないか、前記第二ねじ山より低い第四のねじ山が存在するか、のいずれかである、第二溝部を有し
前記螺合により、前記第二溝部が前記中空部から前記周囲の面につながる空間を形成する、
中空部材。
【発明の詳細な説明】
【技術分野】
【０００１】
本発明は、内部を封止する封止構造に関する。
【背景技術】
【０００２】
第一部材のねじ部を、中空の第二部材の開口部近傍に備えるねじ部に螺合させることにより押さえられたパッキン等により、第二部材の内部を封止することは一般的に行われる。
【０００３】
例えば、通信分野では、屋外に設置される通信用機器において、中空の第二部材に収容した通信用機器を上記構造により封止することが行われる。
【０００４】
ここで、特許文献１は、ドレン孔の内壁面とドレンプラグの軸部との間には、ドレン孔にドレンプラグを螺合させた状態において、ケーシングの内部領域に通じる隙間が形成されるドレン構造を開示する。
【先行技術文献】
【特許文献】
【０００５】
【特許文献１】特開２００６−１９５８２３号公報
【発明の概要】
【発明が解決しようとする課題】
【０００６】
しかしながら、封止を行うために第二部材のメスねじに螺合させた第一部材のオスねじをそのメスねじからはずすのが困難な場合がある。それは、例えば、封止を行った際の温度が、第一部材をはずす際の温度より高い場合に生じ得る。この場合は、封止された空気が収縮しているため、第一部材を第二部材に押し付ける力が働く。この力は、第一部材の第二部材への螺合を多少解除しても、二つの部材のねじ山同士が密着することにより内部の封止が保たれ、継続される場合がある。そして、その力は、第一部材のオスねじをそのメスねじからはずすのを妨げる。
【０００７】
本発明は、互いに螺合させることにより内部を封止する二つの部材の相互の取り外しを容易にし得る組合せ構造等の提供を目的とする。
【課題を解決するための手段】
【０００８】
本発明の組合せ構造は、第一部材が備える、第一ねじ山と前記第一ねじ山に対応するねじ溝とを備える前記第一ねじ部と、第二部材が備える、第二ねじ山と前記第二ねじ山に対応するねじ溝とを備える第二ねじ部との、互いの螺合による締め付けを行うことにより、封止部材を、前記第二部材が備える第二面の前記第二部材が備える中空部の周囲の部分と、前記第一部材が備える、前記周囲の部分に対向する第一面とで、前記周囲の部分と前記封止部材及び前記第一面と前記封止部材とのいずれの間にも隙間が生じないように押さえつける、前記第一部材と前記第二部材とを組み合わせた組合せ構造であって、前記螺合の状態において、前記第二面と前記中空部とを接続する空間が前記第一ねじ部と前記第二ねじ部との間に形成される。
【発明の効果】
【０００９】
本発明の組合せ構造等は、互いに螺合させることにより内部を封止する二つの部材の相互の取り外しを容易にし得る。
【図面の簡単な説明】
【００１０】
【図１】第一実施形態の第一部材の構成例を表す概念図である。
【図２】第一実施形態の第二部材の構成例を表す概念図（その１）である。
【図３】第一実施形態の第二部材の構成例を表す概念図（その２）である。
【図４】第一実施形態の第一部材と第二部材との螺合部分を表す概念図（その１）である。
【図５】第一実施形態の第一部材と第二部材との螺合部分を表す概念図（その２）である。
【図６】第二実施形態の第二部材の構成例を表す概念図である。
【図７】第二実施形態の第一部材の構成例を表す概念図である。
【図８】第二実施形態の第一部材と第二部材との螺合部分を表す概念図（その１）である。
【図９】第二実施形態の第一部材と第二部材との螺合部分を表す概念図（その２）である。
【図１０】実施形態の組合せ構造の例を表す図（その１）である。
【図１１】実施形態の組合せ構造の例を表す図（その２）である。
【図１２】実施形態の組合せ構造の最小限の構成を表すブロック図である。
【発明を実施するための形態】
【００１１】
＜第一実施形態＞
第一実施形態は、ねじ山に溝部が形成された第一部材に関する実施形態である。ここで、以下の説明における第一部材は、［先行技術］及び［発明が解決しようとする課題］の項で説明した第一部材である。また、以下の説明における第二部材は、［先行技術］及び［発明が解決しようとする課題］の項で説明した第二部材である。
［構成と動作］
図１は、図２及び図３を参照して後述する第二部材と螺合させることにより、中空部材の前記第二部材の内部を封止し得る第一部材の例である第一部材１００の構成を表す概念図である。図１（ａ）は第一部材１００の側面図である。図１（ｂ）は第一部材１００の図１（ａ）に表す矢印１９９ａの向きを見た場合を想定した図である。また、図１（ｃ）は第一部材１００の図１（ａ）に表す矢印１９９ｂの向きを見た場合を想定した図である。
【００１２】
第一部材１００は、つまみ部１０１とナット部１０６と部材１１１とオスねじ部１２１とを備える。
【００１３】
つまみ部１０１は、第一部材１００の保持等を容易にするために設けられた部分である。つまみ部１０１を構成する材料は、ある程度の強度を有するものであれば任意である。
【００１４】
ナット部１０６は、第一部材１００を、レンチ等により後述の第二部材に螺合させ又は螺合を解除させるために設けられた部分である。ナット部１０６を構成する材料は、ある程度の強度を有するものであれば任意である。
【００１５】
封止部材１１６は、第一部材１００を後述の第二部材に螺合させた場合に、当該螺合部の隙間をなくすための部材である。封止部材１１６を構成する材料は、例えば、ゴムや樹脂である。封止部材１１６は典型的にはＯリングである。
【００１６】
オスねじ部１２１の側面の円周方向には、ねじ山１３１と、ねじ山１３１に対応するねじ溝とが形成されている。ねじ山１３１には、直線状の溝部１２６ａ乃至１２６ｆが形成されている。溝部１２６ａ乃至１２６ｆが形成されている部分は、ねじ山１３１が消失しているか、周囲のねじ山１３１よりは低いねじ山が存在しているかのいずれかである。オスねじ部１２１を構成する材料は、例えば、樹脂や金属である。
【００１７】
図１は、オスねじ部１２１の軸方向に六本の溝部が等間隔に設置された例であるが、各溝部が形成される方向は、オスねじ部の軸方向に平行でなくても構わない。また、各溝部は、等間隔に設置されていなくても構わない。
【００１８】
さらに溝部の本数は任意である。
【００１９】
図２は、前述の第二部材の例である第二部材２００の構成を表す概念図である。図２は、第二部材２００の側面図である。
【００２０】
第二部材２００は、部材２０１と部材２０６とを備える。
【００２１】
部材２０１は、中空部２８６が中空になっている。部材２０１は、開口部２７６を除いて、外部から遮断されている。部材２０１は、中空部２８６に、例えば通信用部品等を設置し得る。
【００２２】
部材２０１を構成する材料は、例えば、樹脂や金属である。部材２０１は、開口部２７６近傍の接合部２７１において、部材２０６と接合されている。ただし、部材２０１は、部材２０６と一体的に構成されていても構わない。その場合は、接合部２７１は存在しない。
【００２３】
部材２０１の形状は、中空部が存在でき、部材２０６と接合され又は部材２０６と一体的に形成され得る限りにおいて、任意である。
【００２４】
部材２０６の内部には、後述のメスねじ部２２１が形成されている。
【００２５】
図３は、図２に表す第二部材２００における、部材２０６、及び、部材２０１の部材２０６近傍の部分の構成を表す概念図である。図３（ａ）は、当該部分の図２に表す向きと同じ向きを表す透視図である。図３（ａ）では、透視部分を破線で表す。図３（ｂ）は、当該部分の、図３（ａ）に表す矢印１９９ｃの向きを見た場合を想定した図である。
【００２６】
前述のように、部材２０６は、その内部にメスねじ部２２１を備える。メスねじ部２２１は、ねじ溝２１７とねじ山２１６とを備える。メスねじ部２２１は、図１に表すオスねじ部１２１と螺合し得る。
【００２７】
部材２０６を構成する材料は、例えば、樹脂や金属である。部材２０６のメスねじ部２２１以外の部分の形状は、内部にメスねじ部２２１が形成でき、図１に表す第一部材と螺合した状態で、封止部材１１６により図２に表す第二部材２００の中空部２８６の封止が可能な限りにおいて、任意である。
【００２８】
図４は、図１に表す第一部材１００と図２に表す第二部材２００とを螺合させた構成の、第一部材１００のオスねじ部１２１と第二部材２００のメスねじ部２２１との螺合部分を表す概念図（その１）である。図４は、オスねじ部１２１を、オスねじ部１２１の中心軸を含む面で切断した場合を想定した断面図である。ただし、当該断面には、図１に表す溝部１２６ａ乃至１２６ｆのいずれも含まれない。
【００２９】
図４に表すように、部材１１１の面１８１と封止部材１１６とは密着している。また、部材２０６の面２８１と封止部材１１６とは密着している。
【００３０】
また、メスねじ部２２１のねじ山及びねじ溝と、オスねじ部１２１のねじ山及びねじ溝とは、螺合しつつ、密着している。
【００３１】
図５は、図１に表す第一部材１００と図２に表す第二部材２００とを螺合させた構成の、第一部材１００のオスねじ部１２１と第二部材２００のメスねじ部２２１との組合せ部分を表す概念図（その２）である。図５は、オスねじ部１２１を、オスねじ部１２１の中心軸を含む面で切断した場合を想定した断面図である。当該断面には、図１に表す溝部１２６ａ及び１２６ｄが含まれる。
【００３２】
図５に表すように、部材１１１の面１８１と封止部材１１６とは密着している。また、部材２０６の面２８１と封止部材１１６とは密着している。図４に表す場合も図５に表す場合も、部材１１１の面１８１と封止部材１１６とは密着している。また、部材２０６の面２８１と封止部材１１６とは密着している。このことは、溝部の有無に拘わらず、部材１１１の面１８１と封止部材１１６とは密着し、さらに、部材２０６の面２８１と封止部材１１６とは密着していることを表す。すなわち、図４及び図５に表す構造により、図２及び図３に表す中空部２８６が封止されることを表す。
【００３３】
さらに、図５に表すように、隙間３０６ａ及び３０６ｂにより、図２及び図３に表す中空部２８６につながる空間は、封止部材の近傍の面２８１につながっている。このことは、図１に表すナット部１０６をレンチ等で操作することにより、部材１１１及びオスねじ部１２１を、メスねじ部２２１との螺合を緩めた場合に、外部空間が、隙間３０６ａ及び３０６ｂを通じて容易に中空部２８６に接続され得ることを意味する。外部空間と中空部２８６とが空間的につながると、外部空間と中空部２８６との気圧が近くなる。
【００３４】
すなわち、図４及び図５に表す状態において、中空部２８６の気圧が外部の気圧より低く、そのため、第一部材１００を第二部材２００に押し付ける力が働いていたとしても、その力は、速やかに解除される。
【００３５】
上記により、図４及び図５に表す状態からの、第二部材２００からの第一部材１００の取り外しは容易に行い得る。
【００３６】
断面に図１に表す溝部１２６ｂ及び１２６ｅが含まれる場合の前記組合せ部分の断面図も、図５と同様である。ただし、同図及びその説明において、溝部１２６ａ及び１２６ｄの各々を、この順に、溝部１２６ｂ及び１２６ｅの各々に読み替える。
【００３７】
断面に図１に表す溝部１２６ｃ及び１２６ｆが含まれる場合の前記組合せ部分の断面図も、図５と同様である。ただし、同図及びその説明において、溝部１２６ａ及び１２６ｄの各々を、この順に、溝部１２６ｃｂ及び１２６ｆの各々に読み替える。
【００３８】
なお、第一実施形態の第一部材が備える溝部の各々は、必ずしも、図１に表すように、オスねじ部の軸方向に平行に形成される必要はない。ただし、溝部が前記軸方向に平行に形成された場合の方が、第一部材と第二部材とを螺合させ互いに締め付けた状態からの両部材の分離が、より容易である。その理由は、第一部材が備える溝部がオスねじ部の軸方向に平行に形成された方が、前記分離の際に、第二部材の内部と外部との気圧を近づけることがより容易なためである。それは、第一部材が備える溝部がオスねじ部の軸方向に平行に形成された方が、第一部材と第二部材とを螺合させ互いに締め付けた状態において溝部により形成される隙間の長さがより短くなるためである。
【００３９】
また、第一実施形態の第一部材が備える溝部の各々は、必ずしも、図１に表すように、直線的に形成される必要はない。ただし、溝部が直線的に形成された場合の方が、第一部材と第二部材とを螺合させ互いに締め付けた状態からの両部材の分離が、より容易である。その理由は、第一部材が備える溝部が直線的に形成された方が、前記分離の際に、第二部材の内部と外部との気圧を近づけることがより容易なためである。それは、第一部材が備える溝部が直線的に形成された方が、第一部材と第二部材とを螺合させ互いに締め付けた状態において溝部により形成される隙間の長さがより短くなるためである。
【００４０】
前述のように、前記第一部材が備える溝部の数は任意である。しかしながら、前記第一部材が備える溝部の数は複数である方がより好ましい。溝部の数が複数の方が、第一部材と第二部材とを螺合させ互いに締め付けた状態からの両部材の分離が、より容易だからである。その理由は、第一部材が備える溝部の数が複数の方が、前記分離の際に、第二部材の内部と外部との気圧を近づけることがより容易なためである。それは、第一部材が備える溝部の数が複数の方が、第一部材と第二部材とを螺合させ互いに締め付けた状態において溝部により形成される隙間がより大きくなるためである。
【００４１】
また、以上は第二部材のみが中空部を備える例について説明したが、第一部材が中空部２８６に類似の中空部を備えても構わない。さらに、その場合において、第二部材が中空部を備えていなくても構わない。
【００４２】
また、第二部材が、ナット部やつまみ部を備えていても構わない。さらに、その場合において、第一部材が、ナット部やつまみ部を備えなくても構わない。
［効果］
本実施形態の第一部材は、オスねじ部に溝を備える。この溝は、第一部材と第二部材とを互いに螺合させた場合に、第二部材の中空部と接続された隙間を形成する。そして、当該隙間は、封止部材により、前記中空部と接続された状態で封止される。
【００４３】
当該隙間は、封止部材の近傍までつながっている。そのため、前記オスねじ部と第二部材のメスねじ部との螺合を緩めた場合に、外部空間は、前記隙間を通じて容易に中空部に接続され得る。外部空間と中空部とが接続されると、外部空間と中空部との気圧が近くなる。
【００４４】
そのため、封止状態において、仮に、前記中空部の気圧が外部空間の気圧より低く、第一部材を第二部材に押し付ける力が働いていたとしても、その力は、速やかに解除される。
【００４５】
以上により、封止状態の第二部材からの第一部材の取り外しが容易に行い得る。
【００４６】
また、前記オスねじ部の前記溝部の周囲には、ねじ山が形成されている。そのねじ山が、前記第二部材の前記メスねじ部のねじ溝に螺合する。そのため、互いに螺合された前記第一部材と前記第二部材との組合せは、十分な強度を保ち得る。そのため、前記組合せは、前記中空部を有効に封止し得る。
【００４７】
以上により、互いに螺合させた前記第一部材と前記第二部材との組合せは、中空の第二部材への第一部材の螺合の強度を確保しつつ、前記第二部材からの前記第一部材の相互の取り外しを容易にし得る。
＜第二実施形態＞
第二実施形態は、メスねじ部のねじ山に溝を設けた第二部材に関する実施形態である。
［構成と動作］
図６は、第二実施形態の第二部材の例である第二部材２００ａの構成を表す概念図である。
【００４８】
第二部材２００ａは、部材２０１と部材２０６ａとを備える。図６（ａ）は、第二部材２００ａの、部材２０６ａ及び部材２０１の部材２０１ａ近傍の側面を見た透視図である。図６（ａ）における透視部分は破線で表す。図６（ｂ）は、図６（ａ）に表す部分の図６（ａ）に表す矢印１９９ｃの向きを見た場合を想定した図である。
【００４９】
部材２０１についての説明は、図２及び図３に表す部材２０１についての説明と同じである。ただし、同説明において、部材２０６は部材２０６ａと読み替える。
【００５０】
部材２０６ａには、メスねじ部２２１ａが形成されている。メスねじ部２２１ａは、ねじ溝２１７ａとねじ山２１６ａと溝部２１１ａ乃至２１１ｆとを備える。ねじ溝２１７ａはねじ山２１６ａに対応するねじ溝である。メスねじ部２２１のねじ溝２１７ａとねじ山２１６ａとは、図７を参照して後述する第一部材１００ａのオスねじ部１２１のねじ山１３１とねじ山１３１に対応するねじ溝と螺合し得る。溝部２１１ａ乃至２１１ｆの各々は、ねじ山２１６ａがないか、ねじ山の高さが周囲のねじ山２１６ａより低くなっているかの、いずれかである部分である。
【００５１】
部材２０６ａを構成する材料は、例えば、樹脂や金属である。部材２０６ａのメスねじ部２２１ａ以外の部分の形状は、内部にメスねじ部２２１ａが形成でき、図１に表す第一部材と螺合した状態で、封止部材１１６により図２に表す第二部材２００の中空部２８６の封止が可能な限りにおいて、任意である。
【００５２】
図７は、図６に表す第二部材２００ａと螺合させ組み合わせることが想定された第一部材の例である、第一部材１００ａの構成を表す概念図である。
【００５３】
第一部材１００ａの説明は、図１に表す溝部１２６ａ乃至１２６ｆが存在しないことを除いて、図１に表す第一部材１００の説明と同じである。ただし、同説明において、第一部材１００を第一部材１００ａと読み替える。
【００５４】
図７に表す第一部材１００ａと図６に表す第二部材２００ａとを螺合させた組合せ構造の、オスねじ部１２１とメスねじ部２２１ａとの螺合部分の断面図は、オスねじ部１２１の中心軸を含む面で切断した場合を想定すると、図４に表すものになる。ただし、当該断面には、図６に表す溝部２１１ａ乃至２１１ｆのいずれも含まれないものとする。
【００５５】
図４に表すように、部材１１１の面１８１と封止部材１１６とは密着している。また、部材２０６ａの面２８１と封止部材１１６とは密着している。
【００５６】
また、メスねじ部２２１ａのねじ山及びねじ溝と、オスねじ部１２１のねじ山及びねじ溝とは、螺合しつつ、密着している。
【００５７】
図８は、図７に表す第一部材１００ａと図６に表す第二部材２００ａとを螺合させた構成の、第一部材１００ａのオスねじ部１２１と第二部材２００ａのメスねじ部２２１ａとの組合せ部分を表す概念図（その２）である。図５は、オスねじ部１２１を、オスねじ部１２１の中心軸を含む面で切断した場合を想定した断面図である。当該断面には、図１に表す溝部１２６ａ及び１２６ｄが含まれる。
【００５８】
この場合も、図８に表すように、部材１１１の面１８１と封止部材１１６とは密着している。また、部材２０６の面２８１と封止部材１１６とは密着している。
【００５９】
図４に表す場合も図８に表す場合も、部材１１１の面１８１と封止部材１１６と、及び、部材２０６の面２８１と封止部材１１６とは密着している。このことは、図４及び図８に表す構造により、第二部材の内部は封止されていることを表す。
【００６０】
さらに、図８に表すように、隙間３１１ａ及び３１１ｂにより、第二部材の内部につながる空間は、封止部材の近傍につながっている。このことは、図７に表すナット部１０６をレンチ等で操作することにより、部材１１１ａ及びオスねじ部１２１を、メスねじ部２２１ａとの螺合を緩めた場合に、外部空間が、隙間３１１ａ及び３１１ｂを通じて容易に第二部材の内部に接続され得ることを意味する。外部空間と当該中空部２８６とが空間的につながると、外部空間と当該内部との気圧が近くなる。
【００６１】
すなわち、図４及び図８に表す状態において、前記内部の気圧が外部の気圧より低く、そのため、第一部材１００を第二部材２００に押し付ける力が働いていたとしても、その力は、速やかに解除される。
【００６２】
上記により、図４及び図８に表す状態からの、第二部材２００ａからの第一部材１００の取り外しは容易に行い得る。
【００６３】
断面に図６に表す溝部２１１ｂ及び２１１ｅが含まれる場合の前記組合せ部分の断面図も、図５と同様である。ただし、同図及びその説明において、溝部２１１ａ及び２１１ｄの各々を、この順に、溝部２１１ｂ及び２１１ｅの各々に読み替える。
【００６４】
断面に図１に表す溝部２１１ｃ及び２１１ｆが含まれる場合の前記組合せ部分の断面図も、図５と同様である。ただし、同図及びその説明において、溝部２１１ａ及び２１１ｄの各々を、この順に、溝部２１１ｃ及び２１１ｆの各々に読み替える。
【００６５】
なお、第二実施形態の第二部材が備える溝部の各々は、必ずしも、図６に表すように第一部材が螺合された場合の、オスねじ部の軸方向に平行に形成される必要はない。ただし、溝部が前記軸方向に平行に形成された場合の方が、第一部材と第二部材とを螺合させ互いに締め付けた状態からの両部材の分離が、より容易である。その理由は、第二部材が備える溝部がオスねじ部の軸方向に平行に形成された方が、前記分離の際に、第二部材の内部と外部との気圧を近づけることがより容易なためである。それは、第二部材が備える溝部がオスねじ部の軸方向に平行に形成された方が、第一部材と第二部材とを螺合させ互いに締め付けた状態において溝部により形成される隙間の長さがより短くなるためである。
【００６６】
また、第二実施形態の第二部材が備える溝部の各々は、必ずしも、図１に表すように、直線的に形成される必要はない。ただし、溝部が直線的に形成された場合の方が、第一部材と第二部材とを螺合させ互いに締め付けた状態からの両部材の分離が、より容易である。その理由は、第二部材が備える溝部が直線的に形成された方が、前記分離の際に、第二部材の内部と外部との気圧を近づけることがより容易なためである。それは、第二部材が備える溝部が直線的に形成された方が、第一部材と第二部材とを螺合させ互いに締め付けた状態において溝部により形成される隙間の長さがより短くなるためである。
【００６７】
前記第二部材が備える溝部の数は任意である。しかしながら、前記第二部材が備える溝部の数は複数である方がより好ましい。溝部の数が複数の方が、第一部材と第二部材とを螺合させ互いに締め付けた状態からの両部材の分離が、より容易だからである。その理由は、第二部材が備える溝部の数が複数の方が、前記分離の際に、第二部材の内部と外部との気圧を近づけることがより容易なためである。それは、第二部材が備える溝部の数が複数の方が、第一部材と第二部材とを螺合させ互いに締め付けた状態において溝部により形成される隙間がより大きくなるためである。
【００６８】
以上は第二部材のみが中空部を備える例について説明したが、第一部材が図２に表す中空部２８６のような中空部を備えても構わない。さらに、その場合において、第二部材が中空部を備えていなくても構わない。
【００６９】
また、第二部材が、ナット部やつまみ部を備えていても構わない。さらに、その場合において、第一部材が、ナット部やつまみ部を備えなくても構わない。
［効果］
本実施形態の第二部材は、メスねじ部に溝を備える。当該溝は、第一部材と第二部材とを互いに螺合させた場合に、第二部材の中空部と接続された隙間を形成する。そして、当該隙間は、封止部材により、前記中空部と接続された状態で封止される。
【００７０】
当該隙間は、封止部材の近傍までつながっている。そのため、前記オスねじ部と第二部材のメスねじ部との螺合を緩めた場合に、外部空間は、前記隙間を通じて容易に中空部に接続され得る。外部空間と中空部とが接続されると、外部空間と中空部との気圧が近くなる。
【００７１】
そのため、封止状態において、仮に、前記中空部の気圧が外部空間の気圧より低く、第一部材を第二部材に押し付ける力が働いていたとしても、その力は、速やかに解除される。
【００７２】
以上により、封止状態の第二部材からの第一部材の取り外しが容易に行い得る。
【００７３】
また、前記オスねじ部の前記溝部の周囲には、ねじ山が形成されている。そのねじ山が、前記第二部材の前記メスねじ部のねじ溝に螺合する。そのため、互いに螺合された前記第一部材と前記第二部材との組合せは、十分な強度を保ち得る。そのため、前記組合せは、前記中空部を有効に封止し得る。
【００７４】
以上により、互いに螺合させた前記第一部材と前記第二部材との組合せは、中空の第二部材への第一部材の螺合の強度を確保しつつ、前記第二部材からの前記第一部材の相互の取り外しを容易にし得る。
＜第三実施形態＞
第三実施形態は、第一実施形態の第一部材と、第二実施形態の第二部材とを、互いに螺合させ組み合わせた組合せ第二構造に関する実施形態である。
【００７５】
当該組合せ構造においては、例えば、図１に表す第一部材１００と図６に表す第二部材２００ａとを互いに螺合させることにより組み合わせる。
【００７６】
図１に表す第一部材１００と図６に表す第二部材２００ａとを螺合させた構成の、オスねじ部１２１とメスねじ部２２１ａとの組合せ部分の断面図は、オスねじ部１２１の中心軸を含む面で切断した場合を想定すると、図４に表すものになる。ただし、当該断面には、図１に表す溝部１２６ａ乃至１２６ｆ及び図６に表す溝部２１１ａ乃至２１１ｆのいずれも含まれないものとする。
【００７７】
図４に表すように、部材１１１の面１８１と封止部材１１６とは密着している。また、部材２０６ａの面２８１と封止部材１１６とは密着している。
【００７８】
また、メスねじ部２２１ａのねじ山及びねじ溝と、オスねじ部１２１のねじ山及びねじ溝とは、螺合しつつ、互いに密着している。
【００７９】
オスねじ部１２１とメスねじ部２２１ａとの組合せ部分の、オスねじ部１２１の中心軸を含む面で切断した場合を想定した断面図は、当該断面に、図１に表す溝部１２６ａ及び１２６ｄを含む場合には、図５に表すようになる。ただし、同図及びその説明において、部材２０６は部材２０６ａと、メスねじ部２２１はメスねじ部２２１ａと、それぞれ、読み替える。
【００８０】
オスねじ部１２１とメスねじ部２２１ａとの組合せ部分の、オスねじ部１２１の中心軸を含む面で切断した場合を想定した断面図は、当該断面に、図６に表す溝部２１１ａ及び２１１ｄを含む場合には、図５に表すようになる。ただし、同図及びその説明において、部材２０６は部材２０６ａと、メスねじ部２２１はメスねじ部２２１ａと、それぞれ、読み替える。
【００８１】
図９は、図１に表す第一部材１００と図６に表す第二部材２００ａとを、互いに螺合させ組み合わせた組合せ構造を形成させた場合の、当該組合せ構造の断面例である。当該組合せ構造は、第一部材１００の溝部１２６ａ乃至１２６ｆの各々が、この順に、第二部材２００ａの溝部２１１ａ乃至２１１ｆの各々と重なった場合のものである。図９に表す組合せ構造は、第一部材１００と第二部材２００ａとを螺合させ、互いに締め付けた場合に生じることもある。当該組合せ構造は、あるいは、第一部材１００と第二部材２００ａとの螺合を解除させる際に生じることもある。
【００８２】
この場合も、図９に表すように、部材１１１の面１８１と封止部材１１６とは密着している。また、部材２０６の面２８１と封止部材１１６とは密着している。
【００８３】
図４、図５、図６及び図９に表すいずれの場合も、部材１１１の面１８１と封止部材１１６と、及び、部材２０６の面２８１と封止部材１１６とは密着している。このことは、第二部材の中空部（図２に表す中空部２８６を参照）は封止されていることを表す。
【００８４】
さらに、図９に表すように、隙間３１６ａ及び３１６ｂにより、第二部材の内部につながる空間は、封止部材の近傍につながっている。ここで、隙間３１６ａは、部材１１１の溝部１２６ａと部材２０６の溝部２１１ａとが重なることにより生じる隙間である。隙間３１６ａにおいては、オスねじ部１２１のねじ山及びメスねじ部２２１ａのねじ山のいずれもが存在しないか、周囲のねじ山より高さが低いかのいずれかである。したがって、隙間３１６ａは、図５に表す隙間３０６ａ及び３０６ｂの各々や、図８に表す隙間３１１ａ及び３１１ｂの各々よりも、大きな隙間である。
【００８５】
このことは、部材１１１ａ及びオスねじ部１２１を、メスねじ部２２１ａとの螺合を緩めた場合に、外部空間が、より大きな隙間である隙間３１６ａ及び３１６ｂを通じて容易に第二部材の内部に接続され得ることを意味する。図９に表す組合せ構造は、外部空間と中空部２８６とが空間的につながった際に、外部空間と当該内部との気圧がより早く近づく。
【００８６】
すなわち、前記内部の気圧が外部の気圧より低く、そのため、第一部材１００を第二部材２００に押し付ける力が働いていたとしても、その力は、一層速やかに解除される。
【００８７】
上記により、互いに螺合され締め付けられた状態の第二部材２００ａからの第一部材１００の取り外しを一層容易に行い得る。
【００８８】
なお、図９に表す隙間３１６ａ及び３１６ｂの各々が、オスねじ部１２１の隙間とメスねじ部の隙間の他の組合せである場合も同様である。
［効果］
第三実施形態の組合せ構造は、第一実施形態の第一部材と第二実施形態の第二部材とを互いに螺合させ組み合わせたものである。当該組合せ構造においては、第一部材と第二部材とを互いに締め付けた状態、又は、その状態から当該締め付けを解除した状態において、第一部材のオスねじ部の溝と第二部材のメスねじ部の溝とが重なる場合がある。その場合、オスねじ部の溝とメスねじ部の溝とが重なることにより、第二部材の中空部につながる、第一実施形態及び第二実施形態の組合せ構造よりも大きな隙間が形成される。第三実施形態の組合せ構造は、第一部材を第二部材から取り外す際に、その、より大きな隙間を通じて、第二部材の内部と前記組合せ構造の外部との、素早い圧力の調整を行い得る。従い、第三実施形態の組合せ構造は、第一実施形態及び第二実施形態の組合せ構造と比較して、第一部材の第二部材からの取り外しが一層容易である。
【００８９】
次に、第一乃至第三実施形態の第一部材と第二部材とを組み合わせた組合せ構造の例を説明する。
【００９０】
図１０は、本実施形態の組合せ構造の第一の例である、組合せ構造３０１ａを表す斜視図である。第二部材２００ｃに対して、第一部材群１５１ａの五個の第一部材の各々が螺合されている。当該螺合により、第二部材２００ｃの図示しない中空部（図２に表す中空部２８６に相当）は、封止され得る。
【００９１】
以上説明した実施形態の例では、オスねじ部とメスねじ部とを互いに螺合させた際に中空部から封止部材につながる隙間（空間）は、オスねじ部とメスねじ部とのいずれかに形成された一本の溝部によるものである。しかしながら、前記隙間は、例えば、オスねじ部に形成された溝部とメスねじ部に形成された溝部とを、前記オスねじ部と前記メスねじ部とを螺合させることにより初めて形成されるものであっても良い。
【００９２】
例えば、メスねじ部に形成された１以上の溝の各々が、螺合の状態で前記中空部から封止部材との間を塞ぐことが予定された面まで続くものではないとする。そして、オスねじ部に形成された１以上溝の各々が、螺合の状態で前記中空部から前記面まで続くものではないとする。その場合でも、前記螺合により、前記メスねじ部の溝と前記オスねじ部の溝との組合せが、中空部から封止部材につながる隙間（空間）を形成すれば良い。
【００９３】
例えば、メスねじ部の途中まで第一の溝が形成されていたとする。また、オスねじ部の途中まで第二の溝が形成されていたとする。そして、オスねじ部とメスねじ部とを螺合させた場合に、第一の溝と第二の溝とが接続され、一つの溝が形成されたとする。その溝が封止部から前記中空部まで続いている場合は、当該メスねじ部とオスねじ部とを含む構造は実施形態の組合せ構造に含まれ得る。この場合において、前記第一の溝が断続的に続く複数の溝で、螺合により前記第二の溝と接続され、封止部から前記中空部まで続く１つの溝が形成されても良い。また、前記第二の溝が断続的に続く複数の溝で、螺合により前記第一の溝と接続され、封止部から前記中空部まで続く１つの溝が形成されても良い。さらに、前記第一の溝が断続的に続く複数の溝で、前記第二の溝が断続的に続く複数の溝で、それらが螺合により接続されて、封止部から前記中空部まで続く１つの溝が形成されても良い。
【００９４】
図１１は、本実施形態の組合せ構造の第二の例である、組合せ構造３０１ｂを表す図である。
【００９５】
組合せ構造３０１ｂは、固定具５０６により柱５０１に固定されている。
【００９６】
組合せ構造３０１ｂは、第一部材群１５１ｂと第一部材１００ｂと第二部材２００ｂとを備える。第二部材２００ｂは、通信用部材４０１を備える。
【００９７】
第二部材２００ｂに対し、第一部材群１５１ｂ及び第一部材１００ｂが螺合されている。当該螺合により、第二部材２００ｂの図示しない中空部（図２に表す中空部２８６に相当）は、封止され得る。
【００９８】
当該封止により、前記中空部に設置された部材は、外部（屋外）の環境から遮断され、劣化等が遅くなる。
【００９９】
図１２は、本実施形態の組合せ構造の最小限の構成である、組合せ構造３００ｘの構成を表ブロック図である。
【０１００】
組合せ構造３００ｘは、第一部材１００ｘと第二部材２００ｘとを組み合わせたものである。
【０１０１】
組合せ構造３００ｘは、封止部材を、第二部材２００ｘが備える第二面の第二部材２００ｘが備える中空部の周囲の部分と、第一部材１００ｘが備える前記周囲の部分に対向する第一面とで、押さえつけたものである。当該押さえつけは、第一ねじ部と第二ねじ部との互いの螺合による締め付けにより行われる。前記第一ねじ部は、前記第一ねじ部の側面である第一側面に第一ねじ山と前記第一ねじ山に対応するねじ溝とを備える。前記第二ねじ部は、第二部材が備える、第二ねじ山と前記第二ねじ山に対応するねじ溝とを備える部分である。また、当該押さえつけは、封止部材を、前記周囲の部分と前記封止部材及び前記第一面と前記封止部材とのいずれの間にも隙間が生じないように行われる。
【０１０２】
組合せ構造３００ｘは、前記螺合の状態において、前記第二面と前記中空部とを接続する空間が前記第一ねじ部と前記第二ねじ部との間に形成される。
【０１０３】
前記空間は、封止部材により、前記中空部と接続された状態で封止される。
【０１０４】
当該空間は、封止部材までつながっている。そのため、前記第一ねじ部と第二部材の第二ねじ部との螺合による締め付けを緩めた場合に、外部空間は、前記空間を通じて容易に前記中空部に接続され得る。外部空間と前記中空部とが接続されると、外部空間と前記中空部との気圧が近くなる。
【０１０５】
そのため、封止状態において、仮に、前記中空部の気圧が外部空間の気圧より低く、第一部材を第二部材に押し付ける力が働いていたとしても、その力は、速やかに解除される。
【０１０６】
なお、前記空間は、例えば、図５に表す隙間３０６ａ及び３０６ｂ、図８に表す隙間３１１ａ及び３１１ｂ、並びに、図９に表す隙間３１６ａ及び３１６ｂである。
【０１０７】
以上により、封止状態の第二部材からの第一部材の取り外しが容易に行い得る。
【０１０８】
そのため、組合せ構造３００ｘは、前記構成により、［発明の効果］の項に記載した効果を奏する。
【０１０９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１１０】
また、前記の実施形態の一部又は全部は、以下の付記のようにも記述され得るが、以下には限られない。
【０１１１】
（付記Ａ１）
第一部材が備える、第一ねじ山と前記第一ねじ山に対応するねじ溝とを備える第一ねじ部と、第二部材が備える、第二ねじ山と前記第二ねじ山に対応するねじ溝とを備える第二ねじ部との、互いの螺合による締め付けを行うことにより、封止部材を、前記第二部材が備える第二面の前記第二部材が備える中空部の周囲の部分と、前記第一部材が備える、前記周囲の部分に対向する第一面とで、前記周囲の部分と前記封止部材及び前記第一面と前記封止部材とのいずれの間にも隙間が生じないように押さえつける、前記第一部材と前記第二部材とを組み合わせた組合せ構造であって、
前記螺合の状態において、前記第二面と前記中空部とを接続する空間が前記第一ねじ部と前記第二ねじ部との間に形成される、
組合せ構造。
【０１１２】
（付記Ａ２）
前記空間が、前記第一ねじ山が存在しないか、前記第一ねじ山より低い第三のねじ山が存在するか、のいずれかである、前記中空部から前記第二面につながる部分である、第一溝部により形成される、付記Ａ１に記載された組合せ構造。
【０１１３】
（付記Ａ３）
前記第一溝部が、前記第一ねじ部の軸に平行に形成された、付記Ａ２に記載された組合せ構造。
【０１１４】
（付記Ａ４）
前記第一溝部が、略直線的に形成された、付記Ａ２又は付記Ａ３に記載された組合せ構造。
【０１１５】
（付記Ａ５）
前記第一溝部を複数備える、付記Ａ２乃至付記Ａ４のうちのいずれか一に記載された組合せ構造。
【０１１６】
（付記Ａ６）
前記空間が、前記第二ねじ山が存在しないか、前記第二ねじ山より低い第四のねじ山が存在するか、のいずれかである、前記中空部から前記第二面につながる部分である、第二溝部により形成される、付記Ａ１乃至付記Ａ５のうちのいずれか一に記載された組合せ構造。
【０１１７】
（付記Ａ７）
前記第二溝部が、前記第一ねじ部の軸に平行に形成された、付記Ａ６に記載された組合せ構造。
【０１１８】
（付記Ａ８）
前記第二溝部が、略直線的に形成された、付記Ａ６又は付記Ａ７のうちのいずれか一に記載された組合せ構造。
【０１１９】
（付記Ａ９）
前記第二溝部を複数備える、付記Ａ６乃至付記Ａ８のうちのいずれか一に記載された組合せ構造。
【０１２０】
（付記Ａ１０）
前記第一溝部と前記第二溝部とを備え、前記第一溝部の少なくとも一つが前記第二溝部の少なくとも一つと平行に形成された、付記Ａ６乃至付記Ａ９のうちのいずれか一（付記Ａ２の引用部分に限る）に記載された組合せ構造。
【０１２１】
（付記Ａ１１）
前記第一溝部と前記第二溝部とを備え、前記第一溝部の少なくとも一つが前記第二溝部の少なくとも一つと対向する場合がある、付記Ａ６乃至付記Ａ１０のうちのいずれか一（付記Ａ２の引用部分に限る）に記載された組合せ構造。
【０１２２】
（付記Ａ１２）
前記第一溝部と前記第二溝部とを備え、前記第一溝部の各々が前記第二溝部の各々と対向する場合がある、付記Ａ６乃至付記Ａ１１のうちのいずれか一に記載された（付記Ａ２の引用部分に限る）組合せ構造。
【０１２３】
（付記Ａ１３）
前記第一ねじ部がオスねじ状であり、前記第二ねじ部がメスねじ状である、付記Ａ１乃至付記Ａ１２のうちのいずれか一に記載された螺合部材。
【０１２４】
（付記Ａ１４）
前記第一ねじ部がメスねじ状であり、前記第二ねじ部がオスねじ状である、付記Ａ１乃至付記Ａ１２のうちのいずれか一に記載された螺合部材。
【０１２５】
（付記Ｂ１）
第二部材が備える、第二ねじ山と前記第二ねじ山に対応するねじ溝とを備える第二ねじ部との螺合が可能な第一ねじ山と前記第一ねじ山に対応するねじ溝とを備える第一ねじ部と、
前記第二部材が備える第二面の前記第二部材が備える中空部の周囲の部分との間で、前記螺合により、封止部材を締め付けることが可能な第一面とを備え、
前記第一ねじ部が、前記第一ねじ山が存在しないか、前記第一ねじ山より低い第三のねじ山が存在するか、のいずれかである、第一溝部を有し、
前記螺合により、前記第一溝部が、前記中空部から前記第二面につながる空間を形成する、
螺合部材。
【０１２６】
（付記Ｂ１．１）
前記第一溝部が、前記中空部から前記第二面につながっている、螺合部材。
【０１２７】
（付記Ｂ２）
前記第一溝部が、前記第一ねじ部の軸に平行に形成された、付記Ｂ１又は付記Ｂ１．１に記載された螺合部材。
【０１２８】
（付記Ｂ３）
前記第一溝部が、略直線的に形成された、付記Ｂ１乃至付記Ｂ２のうちのいずれか一に記載された螺合部材。
【０１２９】
（付記Ｂ４）
前記第一溝部を複数備える、付記Ｂ１乃至付記Ｂ３のうちのいずれか一に記載された螺合部材。
【０１３０】
（付記Ｂ５）
前記第一ねじ部がオスねじ状であり、前記第二ねじ部がメスねじ状である、付記Ｂ１乃至付記Ｂ４のうちのいずれか一に記載された螺合部材。
【０１３１】
（付記Ｂ６）
前記第一ねじ部がメスねじ状であり、前記第二ねじ部がオスねじ状である、付記Ｂ１乃至付記Ｂ４のうちのいずれか一に記載された螺合部材。
【０１３２】
（付記Ｃ１）
中空部と、
第一部材が備える、第一ねじ山と前記第一ねじ山に対応するねじ溝とを備える前記第一ねじ部との螺合が可能な、第二ねじ山と前記第二ねじ山に対応するねじ溝とを備える第二ねじ部と、
前記第一部材を螺合させながら締め付けることにより、封止部材を、前記第一部材が備える第一面との間で押さえつけることが可能な、前記第一面と対向可能な前記中空部の周囲の面と、
を備え、
前記第二ねじ部が、前記第二ねじ山が存在しないか、前記第二ねじ山より低い第四のねじ山が存在するか、のいずれかである、第二溝部を有し
前記螺合により、前記第二溝部が前記中空部から前記周囲の面につながる空間を形成する、
中空部材。
【０１３３】
（付記Ｃ１．１）
前記第二溝部が、前記中空部から前記周囲の面につながっている、付記Ｃ１に記載された、
中空部材。
【０１３４】
（付記Ｃ２）
前記第二溝部が、前記螺合の際に、前記第一ねじ部の軸に平行な向きに形成された、付記Ｃ１又は付記Ｃ１．１に記載された中空部材。
【０１３５】
（付記Ｃ３）
前記第二溝部が、略直線的に形成された、付記Ｃ１乃至付記Ｃ２のうちのいずれか一に記載された中空部材。
【０１３６】
（付記Ｃ４）
前記第二溝部が、複数形成された、付記Ｃ１乃至付記Ｃ３のうちのいずれか一に記載された中空部材。
【０１３７】
（付記Ｃ５）
前記第一ねじ部がオスねじ状であり、前記第二ねじ部がメスねじ状である、付記Ｃ１乃至付記Ｃ４のうちのいずれか一に記載された螺合部材。
【０１３８】
（付記Ｃ６）
前記第一ねじ部がメスねじ状であり、前記第二ねじ部がオスねじ状である、付記Ｃ１乃至付記Ｃ４のうちのいずれか一に記載された螺合部材。
【符号の説明】
【０１３９】
１００、１００ａ、１００ｂ、１００ｘ    第一部材
１０６    ナット部
１１１、２０１、２０６、２０６ａ    部材
１１６    封止部材
１２１    オスねじ部
１２６ａ、１２６ｂ、１２６ｃ、１２６ｄ、１２６ｅ、１２６ｆ、２１１ａ、２１１ｂ、２１１ｃ、２１１ｄ、２１１ｅ、２１１ｆ    溝部
１３１、２１６、２１６ａ    ねじ山
１５１ａ、１５１ｂ    第一部材群
１８１、２８１    面
１９９ａ、１９９ｂ、１９９ｃ    矢印
２００、２００ａ、２００ｂ、２００ｃ、２００ｘ    第二部材
２１７、２１７ａ    ねじ溝
２２１、２２１ａ    メスねじ部
２７１    接合部
２７６    開口部
２８６    中空部
３０１ａ、３０１ｂ、３００ｘ    組合せ構造
３０６ａ、３０６ｂ、３１１ａ、３１１ｂ、３１６ａ、３１６ｂ    隙間
４０１    通信用部材
５０１    柱
５０６    固定具
【図１】
2019044930.tif 000003
【図２】
2019044930.tif 000004
【図３】
2019044930.tif 000005
【図４】
2019044930.tif 000006
【図５】
2019044930.tif 000007
【図６】
2019044930.tif 000008
【図７】
2019044930.tif 000009
【図８】
2019044930.tif 000010
【図９】
2019044930.tif 000011
【図１０】
2019044930.tif 000012
【図１１】
2019044930.tif 000013
【図１２】
2019044930.tif 000014